(57)【要約】  【課題】販売促進用のカタログ・キャンペーン資料、提案書、企画書、見積書、などをファイルに入れて消費者や顧客に渡した場合に、それらの資料や書類を消費者や顧客がファイルから取り出す際に、良い香りが漂うようにして消費者や顧客によいイメージを提供することができるファイルを提供することを目的とする。【解決手段】重ね合わされた一対のシートからなり、前記一対のシートの一辺又は互いに隣接する二辺に書類を出し入れするための開口部を有するように、他の辺縁部において前記一対のシートが接合されたファイルであって、前記一対のシートの前記開口部となる辺縁部に、接着と剥離を繰り返し行うことが可能な再剥離性の粘着剤が設けられ、前記一対のシートの少なくとも一方のシートの内側面に、芳香成分を封入したマイクロカプセルを混入したインキ層が形成されている。【選択図】        図１
2012000926.tif 000002
【特許請求の範囲】
【請求項１】
重ね合わされた一対のシートからなり、前記一対のシートの一辺又は互いに隣接する二辺に書類を出し入れするための開口部を有するように、他の辺縁部において前記一対のシートが接合されたファイルであって、
前記一対のシートの前記開口部となる辺縁部に、接着と剥離を繰り返し行うことが可能な再剥離性の粘着剤が設けられ、
前記一対のシートの少なくとも一方のシートの内側面に、芳香成分を封入したマイクロカプセルを混入したインキ層が形成されていることを特徴とする香り入りファイル。
【請求項２】
前記一対のシートの少なくとも一方のシートに、名刺の対向する角部を挿し込んで前記シート上に名刺を固定することが可能な切り込みが形成されていることを特徴とする請求項１記載の香り入りファイル。
【請求項３】
前記シートが、透明又は半透明な紙基材から構成されていることを特徴とする請求項１又は２に記載の香り入りファイル。
【発明の詳細な説明】
【技術分野】
【０００１】
本発明は、重ね合わされた一対のシートからなり、前記一対のシートの一辺又は互いに隣接する二辺に書類を出し入れするための開口部を有するように、他の辺縁部において前記一対のシートが接合されたファイルに関する。
【背景技術】
【０００２】
従来、書類を挟み込んで使用するクリアファイルは、一般的に収納物が外部から見えるようにするために透明性又は半透明性を有するプラスチックシートなどの樹脂をシート状に加工したものが使用されている。（例えば、特許文献１〜４、参照）
【０００３】
これらのファイルは、例えば販売促進用のカタログ・キャンペーン資料、提案書、企画書、見積書、などを消費者や顧客に渡す場合に、それらの資料や書類を入れるために用いられることが多い。
特に、販売促進などを行う場合には、競合他社よりも良いイメージを顧客に与えることが重要な要素となるが、従来のファイルでは、印刷デザインに工夫をする程度であり、このような外観上の印象を良くする工夫は競合他社でも実施しているために効果が期待できないという問題がある。
【０００４】
また、営業担当者が顧客と初対面の際には、営業担当者が顧客に名刺を渡すことが行われているが、それらの顧客に渡された名刺は、その後に顧客に渡されるファイルに入れられたカタログなどの販売促進用の資料と別々な状態で渡されることが一般的であり、顧客がそれらの名刺を無くすことも考えられ、またファイル内に名刺を入れてファイルごと顧客に渡した場合には、名刺を探すのに手間がかかったり、知らない間にファイルから名刺が落ちて紛失してしまう恐れがあるなどの問題がある。
【先行技術文献】
【特許文献】
【０００５】
【特許文献１】特開２００３−２５７７８号公報
【特許文献２】特開２００３−２５７７９号公報
【特許文献３】特開２００９−２６２５１６号公報
【特許文献４】実用新案登録第３１５３２３６号公報
【特許文献５】実用新案登録第３１４６０４６号公報
【発明の概要】
【発明が解決しようとする課題】
【０００６】
そこで、本発明は、販売促進用のカタログ・キャンペーン資料、提案書、企画書、見積書、などをファイルに入れて消費者や顧客に渡した場合に、それらの資料や書類を消費者や顧客がファイルから取り出す際に、良い香りが漂うようにして消費者や顧客によいイメージを提供することができるファイルを提供することを目的とする。
また、営業担当者が顧客などに名刺を渡す場合でも、ファイルと共に名刺を渡すことができ、更に、名刺をファイルから取り外した際に、名刺からよい香りが漂うようにすることで、その営業担当者が顧客からよいイメージをもたれるようにして、販売促進活動が行えるようにした香り入りファイルを提供する。
【課題を解決するための手段】
【０００７】
本発明の香り入りファイルは、重ね合わされた一対のシートからなり、前記一対のシートの一辺又は互いに隣接する二辺に書類を出し入れするための開口部を有するように、他の辺縁部において前記一対のシートが接合されたファイルであって、前記一対のシートの前記開口部となる辺縁部に、接着と剥離を繰り返し行うことが可能な再剥離性の粘着剤が設けられ、前記一対のシートの少なくとも一方のシートの内側面に、芳香成分を封入したマイクロカプセルを混入したインキ層が形成されていることを特徴とする。
【０００８】
また、本発明の香り入りファイルは、前記一対のシートの少なくとも一方のシートに、名刺の対向する角部を挿し込んで前記シート上に名刺を固定することが可能な切り込みが形成されていることを特徴とする。
【０００９】
更に、本発明の香り入りファイルは、前記シートが、透明又は半透明な紙基材から構成されていることを特徴とする。
【発明の効果】
【００１０】
したがって、本発明の香り入りファイルは、前記一対のシートの少なくとも一方のシートの内側面に、芳香成分を封入したマイクロカプセルを混入したインキ層が形成されているので、販売促進用のカタログ・キャンペーン資料、提案書、企画書、見積書、などをファイルに入れて消費者や顧客に渡した場合に、それらの資料や書類を消費者や顧客がファイルから取り出す際に、良い香りが漂うようために、消費者や顧客によいイメージを提供することができるという効果がある。
また、一対のシートの前記開口部となる辺縁部に、接着と剥離を繰り返し行うことが可能な再剥離性の粘着剤が設けられていることで、香りをファイル内に封じ込めた状態を維持することができ、ファイルを開いた際に香り効果を期待できる。
【００１１】
また、本発明の香り入りファイルは、一対のシートの少なくとも一方のシートに、名刺の対向する角部を挿し込んで前記シート上に名刺を固定することが可能な切り込みが形成されているので、営業担当者が顧客などに名刺を渡す場合でも、ファイルと共に名刺を渡すことができ、更に、名刺をファイルから取り外した際に、名刺からよい香りが漂うことができるのでその営業担当者が顧客からよいイメージをもたれ、販売促進活動を効果的に行うことができるという効果がある。
【００１２】
また、本発明の香り入りファイルは、一対のシートが、透明又は半透明な紙基材から構成されているので、従来の合成樹脂性のものに比べてプリンタの印字適正がよく、更に省資源化を図ることができるという効果がある。
【図面の簡単な説明】
【００１３】
【図１】本発明の実施形態に係る香り入りファイルの平面図である。
【図２】図１のＡ−Ａ線断面図である。
【図３】図１のＢ−Ｂ線断面図である。
【図４】本発明の実施形態に係る香り入りファイルの第１のシート基材と第２のシート基材とを分離させた状態を示す斜視図である。
【図５】本発明の実施形態に係る香り入りファイルに、名刺を備えた状態を示す平面図である。
【発明を実施するための形態】
【００１４】
以下、本発明の実施形態に係る香り入りファイル１を図面に基づいて詳細に説明する。
本発明の実施形態に係る香り入りファイル１は、図１乃至図３に示すように、重ね合わされた一対のシートである第１のシート２と第２のシート３とから構成されている。
これらの第１のシート２と第２のシート３は、透明又は半透明な紙基材から構成されている。
表側の第１のシート２の表面には、所望の表題７などを予め印刷しておいてもよい。
前記一対のシートである第１のシート２と第２のシート３の一辺又は互いに隣接する二辺に書類を出し入れするための開口部を有するように、他の辺縁部において前記一対のシートが部分的に接着されている。
【００１５】
この実施形態に係る香り入りファイル１において、第１のシート２と第２のシート３とは、少なくとも略四角形状を有しており、第１の紙基材２と第２の紙基材３は、その左側の一方の側縁部に設けられた接着剤４と、その底縁部に設けられた接着剤５とにより、互いに隣接する二辺の部分で接着されており、また、互いに隣接する他の二辺の部分が書類を出し入れするための開口部となる構成を有している。
【００１６】
また、第１のシート２の右側辺の一部には、香り入りファイル１を開く際に指を入れて開けられるように湾曲した形状の切り欠き部８が形成されている。
更に、香り入りファイル１は、一対のシートの開口部となる互いに隣接する二辺縁部に、接着と剥離を繰り返し行うことが可能な再剥離性の粘着剤９，１０が設けられている。
【００１７】
これらの再剥離性の粘着剤９，１０は、接着と剥離を繰り返し行うことが可能であれば、従来から公知の様々な粘着剤を用いることができる。
一対のシートの開口部となる互いに隣接する二辺縁部に、接着と剥離を繰り返し行うことが可能な再剥離性の粘着剤９，１０を設けることで、通常の状態では開口部を綴じた状態を維持することができ、更に香り入りファイル１の使用者がファイル内に書類などを入れたり、出したりする際に開口部を開けるように構成されている。
【００１８】
また、一対のシートの少なくとも一方のシートの内側面には、芳香成分を封入したマイクロカプセルを混入したインキ層が形成されている。
この実施形態では、一対のシートである第１のシート２と第２のシート３の両方のシートの内側面に、それぞれ芳香成分を封入したマイクロカプセルを混入したインキ層１１，１２が形成されている。
【００１９】
この芳香成分を封入したマイクロカプセルを混入したインキ層１１，１２は、第１のシート２と第２のシート３の両方のシートの内側面の略全面に対して設けてもよいし、所望の部分に設けるようにしてもよい。
芳香成分を封入したマイクロカプセルを混入したインキ層１１，１２を、この第１のシート２や第２のシート３の内側面のどのような領域の広さに対して設けるのかによって、香りの強弱を調整することができるので、できるだけ強い香りを漂わせたいと望む場合にはできるだけ広い領域に芳香成分を封入したマイクロカプセルを混入したインキ層１１，１２を設けるようにすることが好ましい。
【００２０】
第１のシート２と第２のシート３との内側面に対して、芳香成分を封入したマイクロカプセルを混入したインキ層１１，１２を設ける方法としては、オフセットかシルクスクリーン印刷が利用される。
例えば、平均粒径が５μｍ以下のマイクロカプセルに香水２種を封入し、ワニスに分散したオフセットインキを用い、オフセット印刷で芳香成分を封入したマイクロカプセルを混入したインキ層１１，１２を設けて香り保持部をそれぞれ形成することで保香層を設ける。
シルクスクリーンの方が１０μｍ以上の厚い印刷層を形成して、マイクロカプセルを多量に含ませることができ、強い香りを、反復性をもって揮散させるのに適している。
【００２１】
また、本発明の香り入りファイル１は、前記一対のシートの少なくとも一方のシートに、名刺の対向する角部を挿し込んで前記シート上に名刺１４を固定することが可能な切り込み１３ａ，１３ｂが形成されている。
図５に示す実施形態では、一対のシートである第１のシート２と第２のシート３のうち、表側の第１のシート２に切り込み１３ａ，１３ｂを平行状態で形成している。
この平行状態で形成した切り込み１３ａ，１３ｂの幅寸法は、名刺１４を挿し込んだ際にその名刺１４の対向する角部分が、それぞれの切り込み１３ａ，１３ｂ内に挿し込んで名刺１４を第１のシート２に固定できる位置に形成されている。
【００２２】
本発明の香り入りファイル１は、上記の構成を有しているので、ファイル内に書類などを入れた場合に、芳香成分を封入したマイクロカプセルを混入したインキ層１１，１２の一部のマイクロカプセルが破壊させることで香りを漂わせることができる。
また、それらの漂う香りは、通常、一対のシートの開口部となる互いに隣接する二辺縁部に設けられた、接着と剥離を繰り返し行うことが可能な再剥離性の粘着剤９，１０により、その開口部が綴じられた状態となっているために、香りが外部に逃げていかないように構成されているために、必要に応じて開口部を開けて書類などを取り出す際に効果的に香りを漂わせることができるようになっている。
【００２３】
更に、表側の第１のシート２に形成された切り込み１３ａ，１３ｂにより固定された名刺１４の角部分が、香り入りファイル１の内部に差し込まれた状態となっているので、顧客などがその名刺１４を切り込み１３ａ，１３ｂから引き抜いた際に、その名刺１４の角部分に香りが付いていて、名刺からよい香りが漂うようことで、その営業担当者が顧客からよいイメージをもたれることが期待できる。
【００２４】
上記のように、本発明の香りいりファイル１は、香りをファイル内に持続的に保持させることができ、更にファイル内の香りを名刺１４に付着させてイメージアップを図ることができように構成されている。
【符号の説明】
【００２５】
１  香り入りファイル
２  第１のシート
３  第２のシート
４，５  接着剤
７  表題
８  切り欠き部
９，１０  再剥離性の粘着剤
１１，１２  芳香成分を封入したマイクロカプセルを混入したインキ層
１３ａ，１３ｂ  切り込み
１４  名刺
【図１】
2012000926.tif 000003
【図２】
2012000926.tif 000004
【図３】
2012000926.tif 000005
【図４】
2012000926.tif 000006
【図５】
2012000926.tif 000007